【事件の表示】
　平成７年特許願第１１５０６４号「電子番組ガイド受信装置および電子番組ガイド表示方法」拒絶査定不服審判事件〔平成８年１１月１日出願公開、特開平８−２８９２０１〕について、次のとおり審決する。
【結　論】
　本件審判の請求は、成り立たない。
【理　由】
　
第１ 手続
　
１ 経緯
　本願は、平成７年４月１７日の出願であって、平成１７年８月１１日付けで拒絶査定された。
　本件は、本願についてされた上記拒絶査定を不服とする平成１７年９月１４日の審判請求であり、その後、当審が平成１９年７月２７日付けで通知した拒絶理由に対して平成１９年９月２８日付けで手続補正書が提出された。
　
２ 当審が通知した拒絶理由
　当審が平成１９年７月２７日付けで通知した進歩性欠如についての拒絶の理由は、概略、以下のとおりである。
　　　　　　　　　　　　　　　理　由
　この出願の下記の請求項１ないし１８に係る発明は、その出願前日本国内において頒布された下記の刊行物１ないし９に記載された発明に基づいて、その出願前にその発明の属する技術の分野における通常の知識を有するものが容易に発明をすることができたものであるから、特許法第２９条第２項の規定により特許を受けることができない。
　　　　　　　　　　　　　　　　記
　刊行物１：特開平４−１６２８９２号公報 
　刊行物２：特表平６−５０７５３２号公報 
　刊行物３：国際公開第９４／１４２８２号（原査定で引用済み） 
　刊行物４：特開平７−９８６４０号公報 
　刊行物５：実願平３−１８３１号（実開平４−１０３７８３号）の
　　　　　　マイクロフィルム 
　刊行物６：特表平６−５０４１６５号公報 
　刊行物７：特開平５−３０７５４２号公報 
　刊行物８：特開平６−２７６５０１号公報 
　刊行物９：特開平２−１９００８８号公報 
　
　
第２ 本願発明
　本願の請求項２に係る発明は、平成１９年９月２８日付け手続補正書により補正された特許請求の範囲の請求項２に記載された事項により特定される以下のとおりのもの(以下「本願発明」という)である。
「番組のデータ、前記番組を選択する電子番組ガイドのデータ、および前記電子番組ガイドのデータに含まれている前記番組のカテゴリを特定するための識別子を受信し、
　前記電子番組ガイドに含まれる前記番組のカテゴリのロゴを１画面内にまとめて表示させるときに操作される操作部が操作されたとき、前記電子番組ガイドに含まれる前記番組に対応する前記カテゴリの識別子を取得し、
　取得した複数の前記識別子にそれぞれ対応するロゴデータを、前記ロゴデータが予め記憶されているメモリから読み出し、
　１画面内に前記カテゴリに対応する複数のロゴをマトリックス状に配置して表示し、
　マトリクス状に配置して表示された複数のロゴのうち、１つが選択されたとき、選択されたロゴのカテゴリに属する前記番組の番組表をさらに表示する
　ことを特徴とする電子番組ガイド表示方法。」
　
　
第３ 当審の判断
　
１ 刊行物
　当審が通知した拒絶の理由に引用された上記刊行物６には、図面と共に以下の事項が記載されている。
　
（１）刊行物６の記載
　
ア「スクリーン１０、１２、１４、１８及び２０の各々は、不規則なセル２６のアレー２４を含み、これらセル２６は、半時間から一時間半以上の時間までの異なったテレビジョン番組長に応じて変化するように可変長である。アレーは、半時間長の三つのコラム２８、及び十二の行３０の番組リストとして構成されている。」（第７ページ右上欄第１３〜１７行）
　
イ「図１−３及び図５−６は、テレビジョンスケジュールグリッド２４のチャンネルコラム５４を示す。」（第８ページ右上欄第９、１０行）
　
ウ「図９及び１０は、テレビジョンを見ながらチャンネルの切り替えを行なう場合、現在の番組に関する情報を提供するチャンネルグレージングオーバレイ６４および６６を示す。」（第８ページ右下欄第６〜８行）
　
エ「図１４−１７は、テーマ機能スクリーン１０４を示す。テーマ機能により、視聴者は、ダウンロードスケジュールを素早く分類でき、興味のある主題に基づくサブセットスケジュールを表示することが可能である。ユーザーは、主なテーマ別にまず分類され、第二にテーマ内のトピック及びトピッククオリファイアまたはそのいずれかによって分類されたリストを選択する自由がある。テーマ、トピック及びトピッククオリファイアで分類された全ガイドは、行別に表になっているフォーマットに表示され、現在の半時間に最も近接している番組をリストアップすることで開始する。」（第９ページ右下欄第１２〜１９行）
　
オ「図１８は、テーマコマンドを定義するフローチャートである。トピック選択。八列で二つのコラムフィールド１１０に配列された各テーマに付き十六までのトピック１０８がある。選択テーマの下でいかなるトピック数も選択可能である。トピックは、論理和機能に従い、トピックの定義に合致する各リスト項目が表示される。例えば、映画のテーマの下、コメディ及び風刺のトピックタイトルが選択されると、コメディ映画及び風刺映画の両方のサブセットスケジュールが表示される。」（第９ページ右下欄第２３〜２９行）
　
カ「テーマスクリーン１０４を利用するためのキー動作は、次のようになる。ＴＶを見ているとき、第一テーマキーコマンドは、最も左側のテーマ、即ち映画をハイライトし、オープニングテーマスクリーンを呼び出す。」（第１０ページ右上欄第４〜６行）
　
キ「テーマを単一のトピックで補助的に分類するためには、カーソルキーを希望トピックへ置き、選択／ゴーツウキーを押せばよい。」（第１０ページ右上欄第１１、１２行）
　
ク「図２１は、スケジュールシステムのリモートコントローラー用のフロントパネル１３０を示す。フロントパネル１３０の上半分は、テレビジョンセット及びＶＣＲ用の従来のリモートコントローラーに対応する。ここに含まれるのは、各キーが第二機能と数値機能を有す二重機能テンキーのキーバッド１３２、ＴＶ／ＶＣＲ選択キー１３４、ボリューム及びチャンネルアップ／ダウンキー１３６及びＶＣＲコントロールキー１３８である。フロントパネル１３０の下半分は、スケジュールシステムに固有のコントロールキーを含む。ここに含まれているのは、テープ内容確認キー１４０、ＴＶ内容確認キー１４２、テーマキー１４４、記録メモキー１４６、記録キー１４８、リンクキー１５ｏ１ヘルプ／メニユーキー１５２、選択／ゴーツウキー１５４、左、右、アップ、ダウンおよびカーソルキー１５６、リターンＴＶ／ＶＣＲキー１５８及び取消／復元キー１６０がある。これらのキーの使用法は、既に説明済みかラベルより明白であろう。」（第１０ページ右下欄第１０〜２２行）
　
ケ「スケジュールシステム／コントローラー１８０は、既存のテレビジョン装置に応用でき、そこでは基本的なテレビジョン装置からスケジュールシステムは切り離される。」（第１０ページ右下欄第２５〜２７行）
　
コ「システム１８０では、ケーブルデコーダユニットの部分を構成するプログラマブルチューナは、ＴＶ信号をアンテナ２００及びケーブル入力部２０５またはいずれかより受信する。チューナ出力２１６は、字幕デコーダあるいは高速テレテキストデコーダである垂直ブランキングインターバル（ＶＢＩ）デコーダ２２２に向かう。リスト情報やケーブルチャンネル割当データといった他の支持情報が、一つかそれ以上のローカル局またはケーブルチャンネルにより一日数回または連続的にＶＢＩへ送信される。
　更新が必要な場合、プログラマブルチューナ２０２は、データを伝送する局またはケーブルチャンネルへ自動的に同調する。ＶＢＩ信号がＣＰＵ２２８によって処理された後、リストデータは、スケジュールメモリ２３２へ記憶される」（第１１ページ左上欄第８〜１７行）
　
サ「ＴＶ内容確認要求に関して、スケジュールメモリ２３２に記憶されているリストが呼び出され、ＣＰＵ２２８で処理され、ビデオ表示発生器２２４へ出力される。ビデオスイッチャー２２６は、ＣＰＵ出力２４６により起動され、スケジュールデータがＴＶ／モニター２１０へ表示されると常にビデオ表示発生器２２４の出力を選択する。」（第１１ページ左上欄第２６行〜同右上欄第１行）
　
シ「オンスクリーンスケジュールからタイトルを選択することでなされるプログラムに加えて、ＶＣＲ２０６及び２１１並びにケーブルデコーダ２０２または２０７をリモートコントローラー２１２でプログラムすることもまた可能である。」（第１１ページ右上欄第１１〜１４行）
　
ス「スケジュール情報は、ＶＢＩからダウンロードされる。」（第１１ページ左下欄第２８行）
　
（２）刊行物６記載の発明
　
ア 番組のデータ
　上記（１）ウには、「図９及び１０は、テレビジョンを見ながらチャンネルの切り替えを行なう場合、現在の番組に関する情報を提供するチャンネルグレージングオーバレイ６４および６６を示す。」とある。ここで、「テレビジョンを見ながら」が「現在の番組」の視聴を意味していることは明らかである。
　また、上記（１）カの「ＴＶを見ているとき」や図１８における「ＴＶ視聴」がいずれも「番組」の視聴を意味していることは明らかである。
　さらに、上記（１）ク、ケには、刊行物６記載のものが既存のテレビジョン装置に応用できるとあるから、図２２ＡのＴＶ／モニター２により「番組」を視聴できることが明らかである。
　そして、視聴される「番組」は、テレビジョンであるから、放送により「受信」されたものであることも明らかである。
　刊行物６には、「番組」を「受信」する構成の存在が認められる。
　
イ スケジュール情報
　上記（１）イには、「図１−３及び図５−６は、テレビジョンスケジュールグリッド２４のチャンネルコラム５４を示す。」とある。上記（１）アでは「スクリーン１０、１２、１４、１８及び２０の各々は、不規則なセル２６のアレー２４を含み」とした上で、「アレーは、半時間長の三つのコラム２８、及び十二の行３０の番組リストとして構成されている。」としている。上記（１）イでいう「テレビジョンスケジュールグリッド２４」は、「番組リスト」として構成されていることが明らかである。
　上記（１）シには、「オンスクリーンスケジュールからタイトルを選択することでなされるプログラム」とある。そこでいう「オンスクリーンスケジュール」は、その名称からして、上記の「番組リスト」として構成された「テレビジョンスケジュールグリッド２４」を指していることが明らかであるから、そこから選択する「タイトル」が「番組」を指すことも明らかである。「テレビジョンスケジュールグリッド２４」は「番組を選択する」ものといえる。
　上記（１）コには、「チューナ出力２１６は、字幕デコーダあるいは高速テレテキストデコーダである垂直ブランキングインターバル（ＶＢＩ）デコーダ２２２に向かう。」、「ＶＢＩ信号がＣＰＵ２２８によって処理された後、リストデータは、スケジュールメモリ２３２へ記憶される」とあり、上記（１）サには、「ＴＶ内容確認要求に関して、スケジュールメモリ２３２に記憶されているリストが呼び出され、ＣＰＵ２２８で処理され、ビデオ表示発生器２２４へ出力される。ビデオスイッチャー２２６は、ＣＰＵ出力２４６により起動され、スケジュールデータがＴＶ／モニター２１０へ表示されると常にビデオ表示発生器２２４の出力を選択する。」とあり、上記（１）スには「スケジュール情報は、ＶＢＩからダウンロードされる。」とある。ＶＢＩからダウンロードされてスケジュールメモリ２３２に記憶され、ビデオ表示発生器２２４へ出力される「スケジュール情報」は、ＴＶ／モニター２１０上に上記「テレビジョンスケジュールグリッド２４」として表示されることが明らかである。
　以上から、刊行物６には、「番組を選択するスケジュール情報」を「受信」する構成の存在が認められる。
　
ウ 番組のトピックを特定するための識別子
　上記（１）エ〜キの記載及び図１４〜１８、２１によれば、ＴＶ視聴中にテーマキー１４４を操作すると、八列で二つのコラムフィールド１１０に配列された十六のトピック１０８からなる図１４の画面が表示され、カーソルを希望トピックに置き、選択／ゴーツウキーを押せば、希望トピックに合致するサブセットスケジュールが表示され、現在の半時間に最も近接している番組がリストアップされる。希望トピックに合致する番組のリストアップは、ダウンロードされたスケジュール情報からなされることが明らかであるところ、そのリストアップを実現するには、スケジュール情報に含まれている番組のトピックを特定するための識別子を受信する必要があることも明らかである。
　刊行物６には、「スケジュール情報に含まれている番組のトピックを特定するための識別子」を「受信」する構成の存在が認められる。
　
エ テーマキー１４４
　ＴＶ視聴中にテーマキー１４４を操作することで表示される、八列で二つのコラムフィールド１１０に配列された十六のトピック１０８からなる図１４の画面（上記（２）ウ）は、画面内にトピックに対応する十六の名称を八列で二つのコラムフィールドに配列して表示したものということができる。
　刊行物６記載の「テーマキー１４４」は、「トピックの名称を画面内に表示させるときに操作される」ものといえる。
　
オ トピック１０８の表示
　上記（２）ウ、エのとおりであるから、刊行物６には、「テーマキー１４４が操作されたとき、画面内にトピックに対応する十六の名称を八列で二つのコラムフィールドに配列して表示する」とする構成の存在が認められる。
　
カ サブセットスケジュールの表示
　八列で二つのコラムフィールドに配列して表示された十六の名称のうち（上記（２）ウ、エ）、１つにカーソルが置かれて選択／ゴーツウキーが押されたとき、カーソルが置かれたトピックに合致するサブセットスケジュールが表示される。
　刊行物６には、「八列で二つのコラムフィールドに配列して表示された十六の名称のうち、１つにカーソルが置かれて選択／ゴーツウキーが押されたとき、カーソルが置かれた名称のトピックに合致する前記番組のサブセットスケジュールをさらに表示する」とする構成の存在が認められる。
　
キ 刊行物６発明
　以上のことに加え、上記（１）ア〜スの記載及び図１〜３、１４〜１８、２１、２２によれば、刊行物６記載の発明(以下「刊行物６発明」という)として、以下のとおりのものを認定することができる。
　
「番組、前記番組を選択するスケジュール情報、および前記スケジュール情報に含まれている前記番組のトピックを特定するための識別子を受信し、
　トピックの名称を画面内に表示させるときに操作されるテーマキー１４４が操作されたとき、
　画面内にトピックに対応する十六の名称を八列で二つのコラムフィールドに配列して表示し、
　八列で二つのコラムフィールドに配列して表示された十六の名称のうち、１つにカーソルが置かれて選択／ゴーツウキーが押されたとき、カーソルが置かれた名称のトピックに合致する前記番組のサブセットスケジュールをさらに表示する
　スケジュール情報表示方法。」
　
２ 対比
　本願発明と刊行物６発明を対比する。
　
（１）データおよび識別子の受信
　刊行物６発明の「番組」も、「受信」された「データ」といえるから、本願発明でいう「番組のデータ」に相当することが明らかである。
　また、刊行物６発明の「前記番組を選択するスケジュール情報」は、番組を選択するためのものである点で「電子番組ガイドのデータ」といえるから、本願発明でいう「前記番組を選択する電子番組ガイドのデータ」に相当することが明らかである。
　さらに、本願発明でいう「番組のカテゴリ」は、本願明細書の段落【０２１６】に「各番組のカテゴリ（例えば、映画、音楽、スポーツ、ドラマ、バラエティおよびスペシャル、ドキュメンタリ、カルチャーおよびホビー、アニメーションおよびファミリー、ニュース、天気予報、番組ガイド、情報、ショッピング、ゲーム、カラオケ、アダルト、その他）」とあるから、番組の内容を分類したものであるところ、刊行物６発明でいう「番組のトピック」も、番組の内容を分類したものである点で「番組のカテゴリ」といえるものである。刊行物６発明の「前記スケジュール情報に含まれている前記番組のトピックを特定するための識別子」は、本願発明でいう「前記電子番組ガイドのデータに含まれている前記番組のカテゴリを特定するための識別子」に相当するといえる。
　よって、刊行物６発明の「番組、前記番組を選択するスケジュール情報、および前記スケジュール情報に含まれている前記番組のトピックを特定するための識別子を受信し」とする構成は、本願発明でいう「番組のデータ、前記番組を選択する電子番組ガイドのデータ、および前記電子番組ガイドのデータに含まれている前記番組のカテゴリを特定するための識別子を受信し」とする構成に相当する。
　
（２）操作部
　刊行物６発明の「トピックの名称を画面内に表示させるときに操作されるテーマキー１４４」は、「カテゴリの情報を画面内に表示させるときに操作される操作部」といえる限りにおいて、本願発明とは相違しない。
　もっとも、「画面内に表示させるとき」を、刊行物６発明では「１画面内にまとめて表示させるとき」とはしていない。相違が認められる。
　また、「カテゴリの情報」が、刊行物６発明では「前記電子番組ガイドに含まれる前記番組」のものであるのか否か定かでない。相違が認められる。
　さらに、「カテゴリの情報」が、刊行物６発明では「カテゴリの名称」であって、「カテゴリのロゴ」ではない。相違が認められる。
　
（３）カテゴリーの識別子の取得、ロゴデータの読み出し、ロゴの表示
　刊行物６発明では、「操作部が操作されたとき、画面内にトピックに対応する十六の名称を八列で二つのコラムフィールドに配列して表示し」としているところ、八列で二つのコラムフィールドに配列した状態も「マトリックス状」といえるから、刊行物６発明の上記構成は、「操作部が操作されたとき、画面内にカテゴリに対応する複数の情報をマトリックス状に配置して表示し」といえる限りにおいて、本願発明とは相違しない。
　もっとも、刊行物６発明では、上記２（２）のとおり、「カテゴリの情報を画面内に表示させるとき」を「カテゴリの情報を１画面内にまとめて表示させるとき」とはしていないから、「画面内にカテゴリに対応する複数の情報をマトリックス状に配置して表示し」における「画面内」を、「１画面内」とはしていない。相違が認められる。
　また、刊行物６発明では、上記２（２）のとおり、「カテゴリの情報を画面内に表示させるときに操作される操作部」における「カテゴリの情報」が「前記電子番組ガイドに含まれる前記番組」のものであるのか否か定かでないから、「操作部が操作されたとき」、本願発明のように、「前記電子番組ガイドに含まれる前記番組に対応する前記カテゴリの識別子を取得し」とする処理を行うのか否か定かでないし、「画面内にカテゴリに対応する複数の情報をマトリックス状に配置して表示し」における「カテゴリ」が、本願発明のように「前記カテゴリ」であるのか否かも定かでない。相違が認められる。
　さらに、刊行物６発明では、上記２（２）のとおり、「カテゴリの情報を画面内に表示させるときに操作される操作部」における「カテゴリの情報」が「カテゴリの名称」であるため、「画面内にカテゴリに対応する複数の情報をマトリックス状に配置して表示し」における「カテゴリに対応する複数の情報」が、「カテゴリに対応する複数の名称」である。この点、本願発明では、「操作部が操作されたとき」、「取得した複数の前記識別子にそれぞれ対応するロゴデータを、前記ロゴデータが予め記憶されているメモリから読み出し」とする処理を行い、「画面内にカテゴリに対応する複数の情報をマトリックス状に配置して表示し」における「カテゴリに対応する複数の情報」を「カテゴリに対応する複数のロゴ」としている。相違が認められる。
　
（４）番組表の表示
　刊行物６発明における「八列で二つのコラムフィールドに配列して表示された十六の名称」は、上記２（３）のとおり、「マトリックス状に配置して表示された複数の情報」といえるものである。
　また、刊行物６発明における「１つにカーソルが置かれて選択／ゴーツウキーが押されたとき」、「カーソルが置かれた名称のトピック」は、それぞれ、「１つが選択されたとき」、「選択された名称のカテゴリ」といえるものである。
　さらに、刊行物６発明における「カーソルが置かれた名称のトピックに合致するサブセットスケジュール」は、受信した「スケジュール情報」のうち、選択された名称のトピックに合致する特定のスケジュール情報を意味し、「スケジュール情報」は「番組表」にほかならず、「選択された名称のトピック」は「選択された情報のカテゴリ」といえるから、上記「サブセットスケジュール」は、「選択された名称のカテゴリに属する前記番組の番組表」といい得るものである。
　よって、刊行物６発明の「八列で二つのコラムフィールドに配列して表示された十六の名称のうち、１つにカーソルが置かれて選択／ゴーツウキーが押されたとき、カーソルが置かれた名称のトピックに合致するサブセットスケジュールをさらに表示する」とする構成は、「マトリクス状に配置して表示された複数の情報のうち、１つが選択されたとき、選択された情報のカテゴリに属する前記番組の番組表をさらに表示する」といい得る限りにおいて、本願発明とは相違しない。
　もっとも、刊行物６発明では、上記２（２）のとおり、「カテゴリの情報を画面内に表示させるときに操作される操作部」における「カテゴリの情報」が「カテゴリの名称」であるから、「表示された複数の情報」、「選択された情報」もそれぞれ「表示された複数の名称」、「選択された名称」である。この点、それらを、それぞれ「表示された複数のロゴ」、「選択されたロゴ」とする本願発明とは相違が認められる。
　
（５）電子番組ガイド表示方法
　刊行物６発明の「スケジュール情報」は、番組を選択するためのものである点で、「電子番組ガイド」といえる。刊行物６発明の「スケジュール情報表示方法」は、本願発明でいう「電子番組ガイド表示方法」に相当する。
　
（６）一致点、相違点
　以上から、本願発明と刊行物６発明とは、
［一致点］
「番組のデータ、前記番組を選択する電子番組ガイドのデータ、および前記電子番組ガイドのデータに含まれている前記番組のカテゴリを特定するための識別子を受信し、
　カテゴリの情報を画面内に表示させるときに操作される操作部が操作されたとき、
　画面内にカテゴリに対応する複数の情報をマトリックス状に配置して表示し、
　マトリクス状に配置して表示された複数の情報のうち、１つが選択されたとき、選択された情報のカテゴリに属する前記番組の番組表をさらに表示する
　ことを特徴とする電子番組ガイド表示方法。」
　である点で一致し、次の各点で相違する。
　
［相違点１］
　「カテゴリの情報を画面内に表示させるときに操作される操作部」における「画面内に表示させるとき」、「画面内にカテゴリに対応する複数の情報をマトリックス状に配置して表示し」における「画面内」を、
　本願発明では、それぞれ「１画面内にまとめて表示させるとき」、「１画面内」としているのに対し、
　刊行物６発明では、そのようにしていない点。
　
［相違点２］
　本願発明では、
　「カテゴリの情報を画面内に表示させるときに操作される操作部」における「カテゴリの情報」を、「前記電子番組ガイドに含まれる前記番組」のものとし、
　「操作部が操作されたとき」、「前記電子番組ガイドに含まれる前記番組に対応する前記カテゴリの識別子を取得し」とする処理を行い、
　「画面内にカテゴリに対応する複数の情報をマトリックス状に配置して表示し」における「カテゴリ」を、「前記カテゴリ」としているのに対し、
　刊行物６発明では、
　「カテゴリの情報を画面内に表示させるときに操作される操作部」における「カテゴリの情報」が、「前記電子番組ガイドに含まれる前記番組」のものであるのか否か、
　「操作部が操作されたとき」、「前記電子番組ガイドに含まれる前記番組に対応する前記カテゴリの識別子を取得し」とする処理を行うのか否か、
　「画面内にカテゴリに対応する複数の情報をマトリックス状に配置して表示し」における「カテゴリ」が「前記カテゴリ」であるのか否か
　のいずれも定かでない点。
　
［相違点３］
　本願発明では、
　「カテゴリの情報を画面内に表示させるときに操作される操作部」における「カテゴリの情報」が「カテゴリのロゴ」であり、
　「操作部が操作されたとき」、「取得した複数の前記識別子にそれぞれ対応するロゴデータを、前記ロゴデータが予め記憶されているメモリから読み出し」とする処理を行い、
　「画面内にカテゴリに対応する複数の情報をマトリックス状に配置して表示し」における「カテゴリに対応する複数の情報」を、「カテゴリに対応する複数のロゴ」とし、
　「マトリクス状に配置して表示された複数の情報のうち、１つが選択されたとき、選択された情報のカテゴリに属する前記番組の番組表をさらに表示する」における「表示された複数の情報」及び「選択された情報」を、それぞれ「表示された複数のロゴ」及び「選択されたロゴ」としているのに対し、
　刊行物６発明では、
　「カテゴリの情報を画面内に表示させるときに操作される操作部」における「カテゴリの情報」、
　「画面内にカテゴリに対応する複数の情報をマトリックス状に配置して表示し」における「カテゴリに対応する複数の情報」、
　「マトリクス状に配置して表示された複数の情報のうち、１つが選択されたとき、選択された情報のカテゴリに属する前記番組の番組表をさらに表示する」における「表示された複数の情報」及び「選択された情報」
　が、それぞれ「カテゴリの名称」、「カテゴリに対応する複数の名称」、「表示された複数の名称」及び「選択された名称」である点。
　
３ 判断
　上記各相違点について検討する。
　
（１）［相違点１］について
　一般に、複数の情報を同時に表示させるには様々な手法が知られているところ、表示させる複数の情報を１画面内にまとめて表示させる手法も周知である（例えば、下記６周知例１参照）から、
　刊行物６発明においても、「カテゴリの情報を画面内に表示させるときに操作される操作部」における「画面内に表示させるとき」、「画面内にカテゴリに対応する複数の情報をマトリックス状に配置して表示し」における「画面内」を、それぞれ「１画面内にまとめて表示させるとき」、「１画面内」とすることは、当業者にとって容易に想到し得たことである。
　
（２）［相違点２］について
　一般に、予めカテゴリ別に分類された複数のデータから１つのデータを選択するデータ選択手法として、選択し得る前記複数のデータが分類されている前記カテゴリのみを表示画面に一覧表示し、一覧表示されたカテゴリの中から１つのカテゴリが選択されると、選択されたカテゴリに属する複数のデータを表示画面に一覧表示し、一覧表示されたデータの中から１つのデータを選択するデータ選択手法は周知である（例えば、下記６周知例１参照）から、
　刊行物６発明においても、電子番組ガイドに含まれる番組が分類されているカテゴリのみを表示及び選択できるようにするため、
　「カテゴリの情報を画面内に表示させるときに操作される操作部」における「カテゴリの情報」を「前記電子番組ガイドに含まれる前記番組」のものとし、
　「操作部が操作されたとき」、「前記電子番組ガイドに含まれる前記番組に対応する前記カテゴリの識別子を取得し」とする処理を行い、
　「画面内にカテゴリに対応する複数の名称をマトリックス状に配置して表示し」における「カテゴリ」を「前記カテゴリ」とすることは当業者が容易に想到し得たことである。
　
（３）［相違点３］について
　一般に、表示しようとする情報をロゴで表記することにより視認性を高めることも、指定されたロゴに対応するロゴデータをＲＯＭから読み出して表示する構成も、共に周知である（例えば、下記６周知例２〜４参照）から、
　刊行物６発明においても、
　「カテゴリの情報を画面内に表示させるときに操作される操作部」における「カテゴリの情報」を、「カテゴリのロゴ」とし、
　「操作部が操作されたとき」、「取得した複数の前記識別子にそれぞれ対応するロゴデータを、前記ロゴデータが予め記憶されているメモリから読み出し」とする処理を行い、
　「画面内にカテゴリに対応する複数の情報をマトリックス状に配置して表示し」における「カテゴリに対応する複数の情報」を、「カテゴリに対応する複数のロゴ」とし、
　「マトリクス状に配置して表示された複数の情報のうち、１つが選択されたとき、選択された情報のカテゴリに属する前記番組の番組表をさらに表示する」における「表示された複数の情報」及び「選択された情報」を、それぞれ「表示された複数のロゴ」及び「選択されたロゴ」とすることは当業者が容易に想到し得たことである。
　
４ 効果等
　以上のとおり、上記相違点１ないし相違点３に係る本願発明の構成は、いずれも当業者が容易に想到し得たものであるところ、上記各相違点を総合しても格別の作用効果を奏するものとはいえず、本願発明を全体としてみても、その作用効果は、刊行物６及び周知技術から当業者が予測できる範囲のものである。
　
５ まとめ（当審の判断）
　したがって、本願発明は、上記刊行物６に記載された発明及び周知技術に基づいて当業者が容易に発明をすることができたものである。
　
６ 周知例
　
周知例１：特開平５−３０７５４２号公報
(当審で通知した拒絶理由に上記刊行物７として提示済み)
　段落【０００２】には、「所定のキー入力操作により、
予めジャンル別に分類された絵記号のすべて
ジャンル名のみ
一覧表示
所定個数ずつ表示
　段落【００１９】には、「「絵記号」キー４０ａが押下されると（図３のステップＳ２）、中央制御処理部１０が起動されて、ＲＯＭ２０の絵記号辞書領域２０ｃから絵記号辞書情報をＲＡＭ３０のワークエリア３０ａを利用して読み込む（図３のステップＳ４）。この後、中央制御処理部１０は、先ず、
読み込まれた絵記号のジャンルすべて
　段落【０００２】の上記記載によれば、周知例１には、複数の情報を同時に表示させるにあたり、それらを１画面内にまとめて表示させるか、所定個数ずつ表示させることが記載されている。
　また、段落【０００２】、【００１９】の上記記載によれば、周知例１には、予めカテゴリ別に分類された複数のデータから１つのデータを選択するデータ選択手法として、データが実際に分類されているカテゴリのみを表示画面に一覧表示し、一覧表示されたカテゴリの中から１つのカテゴリが選択されると、選択されたカテゴリに属する複数のデータを表示画面に一覧表示し、一覧表示されたデータの中から１つのデータを選択するデータ選択手法が記載されているといえる。
　
周知例２：特表平６−５０７５３２号公報
(当審で通知した拒絶理由に上記刊行物２として提示済み)
　周知例２には、指定されたＴＶチャンネルに対応するグラフィックス ロゴ又は文字ラベルをＲＯＭから読み出し、ＴＶ信号に重畳して表示する技術が記載されている。
　
周知例３：国際公開第９４／１４２８２号（原査定で引用済み）
(当審で通知した拒絶理由に上記刊行物３として提示済み)
　周知例３には、番組のスケジュールや説明に関するデータ(data on the scheduling and description of programs)を受信すること（第２９ページ第９行〜第３５ページ第１４行）、主メニュのカテゴリ(the major menu 1020 categories)を一覧表示し、選択操作に対応する主メニュ(major menu 1020)を表示すること（第７０ページ第２７行〜第７３ページ第３行、第１４〜１６図）、放送局名やカテゴリを表すロゴを文字と共に表示すること（第１６、２２ａ、２２ｂ、２５、２６図）、指定されたロゴをＲＯＭから読み出して表示すること（第８６ページ第１７行〜第９３ページ第２９行、第２７ａ〜２８ｇ図等参照）が記載されている。
　
周知例４：特開平７−９８６４０号公報
(当審で通知した拒絶理由に上記刊行物４として提示済み)
　周知例４の段落【０１３０】、第１５図には、ロゴで表記されたＴＶチャンネルを縦軸とし、時間を横軸とした２次元のＴＶ番組リストが記載されている。
　
　
第４ むすび
　以上のとおり、本願の請求項２に係る発明は、刊行物６に記載された発明及び周知技術に基づいて当業者が容易に発明をすることができたものであるから、残る請求項１に係る発明について検討するまでもなく、本願は、特許法第２９条第２項の規定により特許を受けることができない。
　したがって、本願は拒絶をすべきものである。
　よって、結論のとおり審決する。